【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
文書データを格納するための格納領域を記憶する記憶手段と、
他の画像形成装置において生成された第１の格納領域に対応する第２の格納領域を作成する指示を受信する受信手段と、
前記受信手段が第２の格納領域を作成する指示を受信した場合、当該他の画像形成装置を特定するための情報と関連付けた第２の格納領域を前記記憶手段に作成する作成手段と、
を備えた画像形成装置。
【請求項２】
前記第２の格納領域に文書データを格納する指示がされた場合、前記第２の格納領域に関連付けられた情報に基づいて画像形成装置を特定する特定手段と、
前記特定手段により特定された画像形成装置に対して文書データを転送する転送手段と、
をさらに備えた請求項１記載の画像形成装置。
【請求項３】
前記特定手段は、前記記憶手段に作成された第２の格納領域が選択された場合、当該第２の格納領域に関連付けられた情報に基づいて画像形成装置を特定し、
前記特定手段により特定された画像形成装置に対して、前記第２の格納領域に対応する第１の格納領域に格納されている文書データの一覧情報を要求する文書一覧要求を送信する送信手段と、
前記特定手段により特定された画像形成装置から文書データの一覧情報を受信した場合、その一覧情報を表示する表示手段と、
表示した一覧情報に含まれる文書データに対する出力が指示された場合、その文書データの出力を前記特定手段により特定された画像形成装置に対して指示する出力指示手段をさらに備えた請求項２記載の画像形成装置。
【請求項４】
前記特定手段は、前記記憶手段に作成された第２の格納領域が選択された場合、当該第２の格納領域に関連付けられた情報に基づいて画像形成装置を特定し、
前記特定手段により特定された画像形成装置に対して、前記第２の格納領域に対応する第１の格納領域に格納されている文書データの一覧情報を要求する文書一覧要求を送信する送信手段と、
前記特定手段により特定された画像形成装置から文書データの一覧情報を受信した場合、その一覧情報を表示する表示手段と、
表示した一覧情報に含まれる文書データに対する削除が指示された場合、その文書データに対する削除を前記特定手段により特定された画像形成装置に対して指示する削除指示手段をさらに備えた請求項２記載の画像形成装置。
【請求項５】
前記記憶手段に格納されている第１または第２の格納領域が削除された場合、削除された当該第１または第２の格納領域に対応する格納領域を削除するよう他の画像形成装置に対して指示をする削除指示手段をさらに備えた請求項１から４のいずれか１項記載の画像形成装置。
【請求項６】
文書データを格納するための格納領域を記憶する記憶手段と、
前記記憶手段内に第１の格納領域が新たに作成された場合、ネットワーク上に接続されている他の画像形成装置に対して、作成された第１の格納領域に対応する第２の格納領域を生成する指示を行う作成指示手段と、
を備えた画像形成装置。
【請求項７】
文書データを格納するための格納領域を記憶する記憶手段と、
前記記憶手段内に第１の格納領域が新たに作成された場合、ネットワーク上に接続されている他の画像形成装置に対して、作成された第１の格納領域に対応する第２の格納領域を生成する指示を行う作成指示手段と、
他の画像形成装置から第２の格納領域を作成する指示を受けた場合、当該他の画像形成装置を特定するための情報と関連付けた第２の格納領域を前記記憶手段に作成する作成手段と、
を備えた画像形成装置。
【請求項８】
他の画像形成装置において生成された第１の格納領域に対応する第２の格納領域を作成する指示を受信するステップと、
第２の格納領域を作成する指示を受信した場合、当該他の画像形成装置を特定するための情報と関連付けた第２の格納領域を記憶手段に作成するステップとをコンピュータに実行させるためのプログラム。
【請求項９】
前記第２の格納領域に文書データを格納する指示がされた場合、前記第２の格納領域に関連付けられた情報に基づいて画像形成装置を特定するステップと、
特定された画像形成装置に対して文書データを転送するステップとをさらにコンピュータに実行させる請求項８記載のプログラム。
【請求項１０】
文書データを格納するための格納領域を記憶する記憶手段内に第１の格納領域を作成する指示がされた場合、前記記憶手段内に第１の格納領域を作成するステップと、
ネットワーク上に接続されている他の画像形成装置に対して、作成された第１の格納領域に対応する第２の格納領域を生成する指示を行うステップとをコンピュータに実行させるためのプログラム。
【請求項１１】
他の画像形成装置とネットワークにより接続された画像形成装置において、
前記他の画像形成装置における格納領域を示すデータ及び自装置における格納領域を示すデータを表示し、当該他の画像形成装置における格納領域を示すデータが選択された場合に、当該他の画像形成装置の格納領域に格納されている文書一覧データを表示する表示手段と、
前記表示手段に表示された文書一覧データからユーザによって選択された文書データについて削除指示を受け付ける受付手段と、
前記受付手段によって削除指示を受け付けた文書データの削除指示を前記他の画像形成装置に対して送信する送信手段と、
を備えた画像形成装置。
【請求項１２】
他の画像形成装置とネットワークにより接続された画像形成装置において、
前記他の画像形成装置における格納領域を示すデータ及び自装置における格納領域を示すデータを表示し、当該他の画像形成装置における格納領域を示すデータが選択された場合に、当該他の画像形成装置の格納領域に格納されている文書一覧データを表示する表示手段と、
前記表示手段に表示された文書一覧データからユーザによって選択された文書データについて印刷指示を受け付ける受付手段と、
前記受付手段によって印刷指示を受け付けた文書データの印刷指示を前記他の画像形成装置に対して送信する送信手段と、
を備えた画像形成装置。
【手続補正２】
【補正対象書類名】明細書
【補正対象項目名】００１４
【補正方法】変更
【補正の内容】
【００１４】
請求項１０に係る本発明は、文書データを格納するための格納領域を記憶する記憶手段内に第１の格納領域を作成する指示がされた場合、前記記憶手段内に第１の格納領域を作成するステップと、
ネットワーク上に接続されている他の画像形成装置に対して、作成された第１の格納領域に対応する第２の格納領域を生成する指示を行うステップとをコンピュータに実行させるためのプログラムである。
請求項１１に係る本発明は、他の画像形成装置とネットワークにより接続された画像形成装置において、
前記他の画像形成装置における格納領域を示すデータ及び自装置における格納領域を示すデータを表示し、当該他の画像形成装置における格納領域を示すデータが選択された場合に、当該他の画像形成装置の格納領域に格納されている文書一覧データを表示する表示手段と、
前記表示手段に表示された文書一覧データからユーザによって選択された文書データについて削除指示を受け付ける受付手段と、
前記受付手段によって削除指示を受け付けた文書データの削除指示を前記他の画像形成装置に対して送信する送信手段とを備えた画像形成装置である。
請求項１２に係る本発明は、他の画像形成装置とネットワークにより接続された画像形成装置において、
前記他の画像形成装置における格納領域を示すデータ及び自装置における格納領域を示すデータを表示し、当該他の画像形成装置における格納領域を示すデータが選択された場合に、当該他の画像形成装置の格納領域に格納されている文書一覧データを表示する表示手段と、
前記表示手段に表示された文書一覧データからユーザによって選択された文書データについて印刷指示を受け付ける受付手段と、
前記受付手段によって印刷指示を受け付けた文書データの印刷指示を前記他の画像形成装置に対して送信する送信手段とを備えた画像形成装置である。
【手続補正３】
【補正対象書類名】明細書
【補正対象項目名】００２４
【補正方法】変更
【補正の内容】
【００２４】
請求項１０に係る本発明によれば、文書データを格納するための第１の格納領域が新たに作成された場合、ネットワーク上の他の画像形成装置に対して、作成された第１の格納領域に対応する第２の格納領域の作成を指示することができるプログラムを提供することができる。
請求項１１に係る本発明によれば、他の画像形成装置における格納領域に格納されている文書データの削除指示を受け付けた場合、その削除指示を当該他の画像形成装置に送信することができる画像形成装置を提供することができる。
請求項１２に係る本発明によれば、他の画像形成装置における格納領域に格納されている文書データの印刷指示を受け付けた場合、その印刷指示を当該他の画像形成装置に送信することができる画像形成装置を提供することができる。